Podtech/llm-jp-corpus-v4-ja_patent huggingface dataset:
(57)【要約】【課題】本発明は「忙しくてギフト選びの時間がない」「買物に行くには交通費が相当かかる」「自分のセンスに自信がない」「体力的に買物やギフト選びが難しい」「カタログギフトでは味気ない」「（とはいえ）ギフトは自分で選ぶことに意義がある」等、ギフトに関する様々な方の悩みを解消するために開発されたものである。【解決手段】ギフト選びに悩む方々に対し、贈り先様の情報・贈り先様に対する思い・ギフトのご予算やご希望のカテゴリーをアンケートシートに記入頂き、２４時間受付で受信可能とした。アンケートシートに詳しく記載して頂くことにより贈り先様像をイメージでき、贈り先様にぴったりなお品を提案することが可能となった。また、ご提案は３品とし、お客様にひとつをお選び頂くというシステムにより「最終的に自分で選んだ」という満足感も得て頂けることができるようになった。【特許請求の範囲】
【請求項１】
贈り先様に対するアンケートシートの２４時間受付（受信）システム
【請求項２】
贈り先様にぴったりの３品のお品を提案して、ひとつをお選び頂くシステム
【発明の詳細な説明】
【技術分野】
【０００１】本発明は、「ギフト選びにお悩みの個人様・法人様に代わり、贈り先様にピッタリなお品をご提案し購入代行・発送代行するサービス」にあたり、贈り先様に対するアンケートシートを準備し、インターネットから２４時間受信可能としたものである。
【発明の概要】
【発明が解決しようとする課題】
【０００２】本発明は、「忙しくてギフト選びの時間がない」「買物に行くには交通費が相当かかる」「自分のセンスに自信がない」「体力的に買物に行くのは大変」「カタログギフトでは味気ない」「（とはいえ）ギフトは自分で選ぶことに意義がある」等、ギフトに関する様々な方の悩みを解消するために開発されたものである。
【課題を解決するための手段】
【０００３】ギフト選びに悩む方々に対し、贈り先様の情報・贈り先様に対する思い・ギフトのご予算やご希望のカテゴリー等をアンケートシートに記入頂き、２４時間受付で受信可能とした。
また、贈り先様へのギフト提案を３品とし、そのうちひとつを選んで頂くというシステムとした。
【発明の効果】
【０００４】アンケートシートに詳しく記載して頂くことにより、贈り先様にぴったりなお品を提案することが可能になった。また、ご提案は３品とし、お客様にひとつをお選び頂くというシステムにより、「（ギフト選び代行サービスを利用したとはいえ、）最終的には自分で選んだ」という満足感も得て頂くことができるようになった。
(57)【要約】      （修正有）【課題】マウスカバーはすっぽり覆うタイプとか、取り付けると後の手入れが面倒なものや、マウスの大きさや形状にオールマイティー対応できるものがなかった。これらの問題点を解決するために、取り付け、取り外しが簡単に行え、更に、大きさ、形状に対応し衛生面にも考慮した型紙マウスカバーを提供する。【解決手段】紙、布、ビニール製素材を用いて指先より掌が相触する平円状の型紙１を成形し、型紙１外周面には内側に頂角を持つＶ字形に切り取ったカット面を一つ以上設け、更に後部位には切り込み部３を設けた。次にマウス本体４の両側面、及びクリック部５を含む上面に、両面粘着シートをデザイン自由な形状にカットし、貼付させ、前記型紙１をマウス本体４の上部より覆う様に貼付させて成る型紙マウスカバーを提供する。【選択図】図５
2011123854.tif 000002
【特許請求の範囲】
【請求項１】
コンピューターマウスのマウスカバーにおいて、紙、布、ビニール製素材から成る指先より掌が相触する平円状の型紙（１）を成形し、該型紙（１）外周面には内側に頂角を持つＶ字形に切り取ったカット面（２）を一つ以上設け、更に後部位には切り込み部（３）を設けたことを特徴とした型紙マウスカバー。
【請求項２】
マウス本体（４）の両側面、及びクリック部（５）を含む上面に、両面粘着シート（６）をデザイン自由な形状に成形し、貼付させ、該マウス本体（４）の上部より覆う様に貼付させて成る請求項１記載の型紙マウスカバー
【発明の詳細な説明】
【技術分野】
【０００１】  本発明は、コンピューターの入力装置であるマウス本体の汚れを防ぎ、更に多様な大きさ、形状に対応できるマウスカバーに関するものである。
【背景技術】
【０００２】  マウスは、毎日の使用頻度が非常に高く、指先、掌などの汗、汚れが日々付着し、非衛生的な使用パーツの一つとなっている。
そのため、マウス本体の汚れを防ぎ、大きさ、形状にも対応できるマウスカバーが求められている。
【特許文献１】  ２００３−２１６３２９
【特許文献２】  ２００２−０５５７７６
【特許文献３】  ２００１−３３７７８２
【特許文献４】  ２００１−２１６０８７
【特許文献５】  ２００１−３５７０５１
【特許文献６】  平１０−３５７０５１
【発明の開示】
【発明が解決しようとする課題】
【０００３】  しかしながら、従来のものでは次のような問題があった。
従来、マウスカバーは汚れを防ぐ目的を持って提案されているが、ほとんどはマウス形状に測定したものを、すっぽり被せインテリア性を高めたもの、又、マジックテープや両面テープで接着するタイプなど、一旦取り付けるとマウス本体及びマウスカバー自体の手入れが面倒なものや、マウスの多様な大きさや形状にオールマイティー対応できるものがなかった。
そこで、本発明は、これらの問題点を解決するために、薄膜弾性体から成る繰り返し使用でき、貼ってはがせる両面粘着シート（以下「両面粘着シート」という）を利用して簡単に取り付け、取り外しが行え、更に、多様な大きさ、形状に対応し衛生面にも考慮した型紙マウスカバーを提供するものである。
【課題を解決しようとする手段】
【０００４】    本発明は、上記の課題を解消するために次の様な形態とした。
１．紙、布、ビニール製素材を用いて指先より掌が相触する平円状の型紙（１）を成形し、該型紙（１）外周面には内側に頂角を持つＶ字形に切り取ったカット面（２）を一つ以上設け、更に後部位には切り込み部（３）を設けた。
２．マウス本体（４）の両側面、及びクリック部（５）を含む上面に、両面粘着シート（６）をデザイン自由な形状にカットし、貼付させ、前記型紙（１）を該マウス本体（４）の上部より覆う様に貼付させて成る型紙マウスカバーを提供する。
【発明の効果】
【０００５】    本発明によって、次のような効果が生じた。
１．一つの型紙でマウス形状に沿った姿形に順応され、多様なデザイン、大きさに対応できたいへん便利である。
２．型紙はカットデザインのためマウス本体よりはみ出し箇所があればハサミ等で簡単に切り取る事ができ適応性が高い。
３．繰り返し何度でも粘着できる両面粘着シートにより貼付されているため、型紙を使い捨てとした場合、取り換え時はきれいに簡単にはがすことができ、貼り付けも素早く容易に行え手間が掛からない。
４、型紙に、吸汗性及び抗菌効果を付加すれば、使用毎に指先、掌の余分な汚れが取り除かれ、カバーに覆われていないマウスボールを使用する時も汚れ付着が軽減されたいへん衛生的である。
５．マウス本体の掃除をするときも両面粘着シートは、本体表面からもきれいに簡単にはがれ、点検や補修も含め従来通りに行える。
【発明を実施するための最良の形態】
【０００６】    本発明を実施するための最良の形態を図１〜５に基づいて説明する。
１．吸湿性及び抗菌処理を施した紙素材から成る、指先より掌が相触する平円状の型紙（１）を形成し、外周面には内側に頂角を持つＶ字形に切り取ったカット面（２）を左右対称に２〜３か所設け、後部位には切り込み部（３）を設けた。
更に、マウスボール部分は楕円形に切り抜き、後端は幾つかの半円形にデザインカットした。（図１）
２．マウス本体（４）に、左右両側面にはＬ字型に成形したものを、又指先クリック部（５）を含む上面にはＵ字型に成形した両面粘着シート（６）を貼付した。（図２）
３．型紙（１）を上部クリック部（５）より指先の位置を合わせ、上面から覆う様にマウス本体（４）の両面粘着シート（６）に貼付し保持させた。（図３〜５）【０００７】    本発明は以上のように構成され、次のようにマウスに順応させている。
１．型紙（１）はマウス本体クリック部（５）を含む前上部と両側面一部に貼付保持されており、後方位はフリー状態としている。
したがって、型紙（１）両側にカット面（２）を設け、後部位にも切り込み（６）を付けることにより変形自在となり、異なる形状のマウスであっても本体形状に沿った自由な姿形となる。
２．又、図示していないが型紙（１）の内側に小さいマウスサイズの枠線を書き込んでおき切り取れるようにすれば大きさの異なるマウスにも一つの形状で対応できる。【０００８】このように、本発明は、実用面での利便性を格段に向上させている。
【図面の簡単な説明】
【０００９】
【図１】本発明の型紙を示す平面図である。
【図２】本発明の貼付箇所を示す斜視図である。
【図３】本発明の使用状態を示す斜視図１である
【図４】本発明の使用状態を示す斜視図２である
【図５】本発明の使用状態を示す斜視図３である
【符号の説明】
【００１０】１．型紙
２．カット面
３．切り込み部
４．マウス本体
５．クリック部
６．両面粘着シート
【図１】
2011123854.tif 000003
【図２】
2011123854.tif 000004
【図３】
2011123854.tif 000005
【図４】
2011123854.tif 000006
【図５】
2011123854.tif 000007
(57)【要約】【課題】本発明は、小売商店の店頭に置いて使用する立て看板で、サンドイッチマンを摸した人型立て看板である。【解決手段】背中合わせ２枚の立て看板の中央の上部より、頭、および、手を出し、その手を振って通行人の注意を集中させることを特徴とする人型立て看板。【選択図】図１
2011123456.tif 000002
【特許請求の範囲】
【請求項１】
背中合わせ２枚の立て看板の中央の上部より、頭、および、手を出し、その手を振って通行人の注意を集中させることを特徴とする人型立て看板。
【発明の詳細な説明】
【技術分野】
【０００１】  本発明は、小売商店の店頭に置いて使用する立て看板で、サンドイッチマンを摸した人型立て看板である。
【背景技術】
【０００２】  従来、店頭に置かれる立て看板で、サンドイッチマンの様な人型で動きのある立て看板はなかった。
【発明の概要】
【発明が解決しようとする課題】
【０００３】  すべての小売業に於いて店に客を呼び込むことは、最も大切な仕事である。
したがって、古くより看板は出来るだけ人目を引く様に工夫されて来ました。
その中で効果はあるがコストの掛かる方法が人の前後に看板を掛けて歩き回る方法でサンドイッチマンと称され流行しましたが人件費の高騰と共に姿を消しました。
本発明は、この課題を解消するため、無人のサンドイッチマンをローコストで提供するものである。
【課題を解決するための手段】
【０００４】  背中合わせ２枚の立て看板の中央上部より、頭、および、手を出し、その手を振って通行人の注意を集中させることを特徴とする人型立て看板である。
【発明の効果】
【０００５】  本発明の立て看板は、人形が手を振り愛嬌を振りまき楽しい雰囲気を作り集客効果が向上する。
【図面の簡単な説明】
【０００６】
【図１】  本発明の斜視図である。
【図２】  本発明の正面図である。
【図３】  本発明のメカ部の分解斜視図である。
【発明を実施するための形態】
【０００７】    以下本発明の実施の形態を説明する。
（イ）まず、２枚の立て看板を背中合わせ山形とし、その中央の上部より、頭、および、手を出し、さらにその手を動かす構造を持つものである。
（ロ）看板絵（１）が貼られた看板枠（２）は、足（３）、ステー（４）、メカ側板（５）に固定され自立する。
（ハ）看板枠（２）の上部、メカ取り付け板（６）の中央部に人形の頭（７）が固定され、その隣に人形の手（８）が運動可能な状態で立っている。
（ニ）人形の手（８）は、腕板（９）に固定され腕軸（１０）を中心に回動する如く取り付けられ連結軸（１１）を介し、連結板（１２）、および、モーター軸（１４）の回転により手を振る如く動作する。
（ホ）保護カバー（１５）は、屋外で使用することを考慮した透明カバーである。
本発明を使用するときは、電動により間歇的に手を振る。
【符号の説明】
【０００８】  １  看板絵
２  看板枠
３  足
４  ステー
５  メカ側板
６  メカ取り付け板
７  人形の頭
８  人形の手
９  腕板
１０  腕軸
１１  連結軸
１２  連結板
１３  クランク
１４  モーター軸
１５  保護カバー
【図１】
2011123456.tif 000003
【図２】
2011123456.tif 000004
【図３】
2011123456.tif 000005
(57)【要約】      （修正有）【課題】夏の暑い最中、仕事で狭い所に腹這いでの作業や、上を向いての作業が出来ない、何度上げてもずり落ちてくるメガネ、このメガネをゴムで後ろへ引っ張るが、かなりきつくゴムをしめないと、またメガネが下がる。暫くすると、鼻筋のパッドの当たる部分が痛くなってくる。このような時のメガネ固定バンを提供する。【解決手段】パッドを固定しているので上下のブレはなく、又、従来のメガネのテンプルフレームと相まって完全固定され、脱着も容易でテンプルフレームを持って従来通りの手順で簡単に外せる。【選択図】図２
2011123457.tif 000002
【特許請求の範囲】
【請求項１】
本発明は、絆創膏や粘着テープの表面に粘着剤を塗布したものをメガネのパッドの当たる鼻筋の部分に貼り付けて、メガネを掛けた時に粘着剤の効果によってメガネを安定させるものである。
【請求項２】
尚、本発明は、粘着剤を使いメガネパッドの固定を図り、メガネのずり落ち防止を目的としたものである。
【発明の詳細な説明】
【技術分野】
【０００１】本発明は、汗をかく季節でも粘着剤の特性を活かし、パッドを固定しメガネのずれを防ぐものである。
【背景技術】
【０００２】従来は、他の固定法はあったが、パッドの固定法はなかった。
【発明の開示】
【発明が解決しようとする課題】
【０００３】メガネを掛ける人にとって、最大の悩みであったずり落ち。集中していて上目使いにした途端にズルッとずり落ちる。脂性の人、汗かきの人は尚更である。
本発明は、そのような悩みや煩わしさを解消するためになされたものである。
【課題を解決するための手段】
【０００４】この固定バンは顔の形状を問わず、従来のパッドの付いているメガネであれば全て使用出来る。
【発明の効果】
【０００５】いつ何時でもこのメガネ固定バンを使用すれば、激しい運動や作業にもメガネがずれる事なく集中出来る。
【実施例１】
【０００６】この固定バンは、鼻筋の油分や汗を拭きとってから貼り付け、後は普通にメガネを掛ければパッドが固定され、メガネが安定する。
【図面の簡単な説明】
【０００７】
【図１】本発明の正面図である。
【図２】本発明の使用状態を示す断面図である。
【符号の説明】
【０００８】１  固定バン本体
２  メガネ
３  メガネパッド
４  鼻
５  パッド側粘着剤
６  テンプルフレーム
【図１】
2011123457.tif 000003
【図２】
2011123457.tif 000004
【手続補正書】
【提出日】平成22年1月18日(2010.1.18)
【手続補正１】
【補正対象書類名】明細書
【補正対象項目名】０００６
【補正方法】変更
【補正の内容】
【０００６】この固定バンは、鼻筋の油分や汗を拭き取りメガネパッドに当たる所に貼り付け、後は普通にメガネを掛ければパッドが粘着剤の効果で固定され、メガネが安定する。
(57)【要約】【課題】従来のテレビモニターにおいて複数で視聴するには画面に対して横に並ぶ必要があった。受付などの対面会話の際、画面を見るためにモニター機器を回転又は移動させる必要と危険が生じた、又は２台のモニター機器が必要となった。一台のモニターで効率よく視聴範囲を増やすための機器を考案する。【解決の手段】本体となるモニターの裏と表、両面に画面が表示できる構造にする。【選択図】図１
2011123455.tif 000002
【特許請求の範囲】
【請求項１】
表と裏の２面に画面表示できるモニター機器
【発明の詳細な説明】
【技術分野】
【０００１】本発明はデータや画像を表示させるモニター機器に関するものである。
【背景技術】
【０００２】従来、データや画像を表示するテレビやモニターがあった（特許文献１参照）
【先行技術文献】
【０００３】
【特許文献１】特許公開２００８−２６７５７７
【発明の概要】
【発明が解決しようとする課題】
【０００４】そのために、次のような問題点があった。
（イ）受付などの対面会話の際画面を見るためにモニター機器を回転又は移動させる必要と危険が生じた
（ロ）対面会話にて同じ画面を見るために２台のモニター機器が必要だった
本発明は、これらの問題点を解決するためになされたものである。
【課題を解決するための手段】
【０００５】本体となるモニターの裏と表、両面に画面が表示できる構造にする。
以上を特徴とする裏と表の２つの画面に同時に表示できるモニター機器である。
【発明の効果】
【０００６】モニター本体を回転させたり移動させる必要がなくなるとともにその作業に発生するリスクもなくなる、また２台のモニターも必要なくなり、設置面積の減少とコストの減少にもなる。
【図面の簡単な説明】
【０００７】
【図１】本発明の側方断面図
【発明を実施するための形態】
【０００８】以下、本発明の実施の形態について説明する。
情報処理電子機器を挟み込むように、両側に画面表示パネルを配置し本体枠で囲み転倒を防ぐための支台脚を取り付けた両面モニターにする。
【符号の説明】
【０００９】１  画面表示パネル
２  本体枠
３  情報処理電子機器
４  支台
【図１】
2011123455.tif 000003
(57)【要約】【課題】ストラップ留め具が、テンプルの間を移動しない、メガネを提供するものである。【解決手段】メガネストラップ留め具を、取り付ける穴（一箇所または複数箇所）をテンプルに設けたものであり、所定の場所に連結出来る様にしたものである。【選択図】図２
2011123458.tif 000002
【特許請求の範囲】
【請求項１】
テンプルにストラップ留め具を、取り付ける穴を設けたことを特徴とするメガネ。
【請求項２】
テンプルに設ける穴は、使い勝手から一箇所から複数箇所設ける。
【発明の詳細な説明】
【技術分野】
【０００１】  本発明は、メガネ用ストラップを、取付けるようにしたメガネに関する。
【背景技術】
【０００２】  メガネをはずしたり、メガネをかけたりを繰り返しすることで、メガネストラップ留め具（輪ゴムとか紐など）が、テンプルの間を移動する。
【発明の概要】
【発明が解決しようとする課題】
【０００３】  メガネストラップ留め具が、テンプルの間を移動しないメガネを提供するのが課題である。
【課題を解決するための手段】
【０００４】本発明は、テンプルにストラップ留め具を、取り付ける穴を設けたものであり、所定の場所に連結出来る様にしたものである。
【発明の効果】
【０００５】メガネとストラップ留め具が、テンプルの所定の場所に連結され、テンプルにそって移動しなくなる。
【図面の簡単な説明】
【０００６】
【図１】  実施例のメガネの斜視図である。
【図２】  図１の連結部の拡大図である。
【実施例】
【０００７】図１は本発明のテンプルに空けられた穴に、ストラップの留め具を連結した斜視図であり、図２は、テンプルの穴に留め具を連結した拡大図である。
テンプルの所定の位置に穴を開け、ストラップを連結する事で、メガネをかけているときも、メガネをはずしているときも、テンプル間をストラップ留め具はテンプルの所定の位置に連結されている。
【符号の説明】
【０００８】１．テンプル
２．テンプルの穴（一箇所または複数箇所）
３．ストラップ
【図１】
2011123458.tif 000003
【図２】
2011123458.tif 000004
(57)【要約】      （修正有）【課題】マイクロダストなどの塵の侵入を嫌うデジタルカメラのレンズ交換をする場合、屋内外どこにおいてでもダスト等の侵入を心配せずにレンズ交換を可能にして撮影領域を拡大するために、軽便且つ移動が容易で場所を問わずにレンズ交換等の作業を可能にするためのクリーンルームを提供する。【解決手段】軽便で持ち運びが容易な箱状の物に、一面に備えたフィルターを通して電池駆動の電動ファンによって除塵された空気を取り入れ、内部をクリーンな状態に保ってレンズ交換等の作業を可能とする。【選択図】図１
2011123459.tif 000002
【特許請求の範囲】
【請求項１】
フィルターとモーターファンを備えたことを特徴とする入れ物。使用時箱状にして電動ファンの駆動によりフィルターを通して除塵された空気を取り入れ、内部を無塵状態に保ち、持ち運びの用意な入れ物。
【発明の詳細な説明】
【技術分野】
【０００１】  デジタルカメラのレンズ交換など微細な塵をも嫌う作業に、軽く携帯可能なクリーンボックスの開発である。  本考案は電池駆動の小型軽量で持ち運びが容易な、どこででもクリーンルームの状況で使用可能な箱状の入れ物に関する。
【背景技術】
【０００２】  使用時は概ね箱状になる。マイクロダストを含む塵の多いところで塵を嫌う手作業を行う場合、電動ファンによって除塵フィルターを通して内部にクリーンな空気を導入し、内部を無塵状態にする。物を出し入れする蓋と手作業をする窓を備えており、場所を問わずクリーンな状態の中で塵を嫌うレンズ交換などの作業を可能にする。
【発明が解決しようとする課題】
【０００３】  デジタルカメラなどのレンズ交換ではマイクロダストをはじめ塵の侵入を嫌う。場所を問わず安心して交換作業を行うには、ダストリダクション機能を備えてはいても限界があり、どこででも安心して、という訳にはいかない。  塵の舞うところに於いても交換作業を可能にして、多様な撮影を可能にしたい。
【０００４】  カメラ内に侵入したマイクロダストは撮像面に粘着し除きにくい場合が多い。
内部に入ったダストは除きにくい。極力内部にダストを入れないためにフィルターで除塵された空気を取り入れた軽便な入れ物の中で、場所と時に関わらずレンズ交換作業を可能にして撮影領域を広げる。
【０００５】  砂塵の舞うところや運動施設などのマイクロダストの多い場所でのレンズ交換もダストの侵入を心配することなく安心して作業をすることが可能となり、撮影の可能性を広げる。
【課題を解決するための手段】
【０００６】  本体にフィルターを付け、他面に取り付けた電動ファンによって外部からフィルターを通して除塵された空気を取り入れることによって、内部をマイクロダストなどを除塵されたクリーンな状態に保つ。
【発明の効果】
【０００７】  小型軽量で持ち運び容易なクリーンルームをどこに於いても容易に用意でき、ダストの侵入のない安心できる状態でレンズの交換作業などを行うことができる。
【０００８】  運動中のアリーナ内や強風の中などの塵の舞うところなどの条件の悪いところでもレンズ交換を可能とし、より領域を拡大して撮影ができるようになる。
【図面の簡単な説明】  電動ファンを駆動してフィルターで塵やマイクロダストを濾過したクリーンな空気を内部に導入する。
上部に出し入れ用の蓋を設け、中に入れてから蓋をマジックテープで密着させ、手を入れる左右の袖付き窓から手を入れて、十分に電動ファンを駆動させた後にレンズ交換などの作業をする。
図Ｉ      全体図
図ＩＩ    手作業のための手を入れる袖付き窓
図ＩＩＩ  同様（両手用のため２カ所左右に設置）
図ＩＶ    電動ファンの取り付け
図Ｖ      フィルター、大きめのものを設ける
図ＶＩ    上蓋、カメラなどの出し入れ用蓋付きの出し入れ口
2011123459.tif 000003
【手続補正書】
【提出日】平成22年4月1日(2010.4.1)
【手続補正２】
【補正対象書類名】明細書
【補正対象項目名】全文
【補正方法】変更
【補正の内容】
【発明の詳細な説明】
【技術分野】
【０００１】  デジタルカメラのレンズ交換など微細な塵をも嫌う作業に、軽く携帯可能なクリーンボックスの開発である。  本考案は電池駆動の小型軽量で持ち運びが容易な、どこででもクリーンルームの状況で使用可能な箱状の入れ物に関する。
【背景技術】
【０００２】  使用時は概ね箱状になる。マイクロダストを含む塵の多いところで塵を嫌う手作業を行う場合、電動ファンによって除塵フィルターを通して内部にクリーンな空気を導入し、内部を無塵状態にする。物を出し入れする蓋と手作業をする窓を備えており、場所を問わずクリーンな状態の中で塵を嫌うレンズ交換などの作業を可能にする。
【発明が解決しようとする課題】
【０００３】  デジタルカメラなどのレンズ交換ではマイクロダストをはじめ塵の侵入を嫌う。
場所を問わず安心して交換作業を行うには、ダストリダクション機能を備えてはいても限界があり、どこででも安心して、という訳にはいかない。  塵の舞うところに於いても交換作業を可能にして、多様な撮影を可能にしたい。
【０００４】  カメラ内に侵入したマイクロダストは撮像面に粘着し除きにくい場合が多い。
内部に入ったダストは除きにくい。極力内部にダストを入れないためにフィルターで除塵された空気を取り入れた軽便な入れ物の中で、場所と時に関わらずレンズ交換作業を可能にして撮影領域を広げる。
【０００５】  砂塵の舞うところや運動施設などのマイクロダストの多い場所でのレンズ交換もダストの侵入を心配することなく安心して作業をすることが可能となり、撮影の可能性を広げる。
【課題を解決するための手段】
【０００６】  本体にフィルターを付け、他面に取り付けた電動ファンによって外部からフィルターを通して除塵された空気を取り入れることによって、内部をマイクロダストなどを除塵されたクリーンな状態に保つ。
【発明の効果】
【０００７】  小型軽量で持ち運び容易なクリーンルームをどこに於いても容易に用意でき、ダストの侵入のない安心できる状態でレンズの交換作業などを行うことができる。
【０００８】  運動中のアリーナ内や強風の中などの塵の舞うところなどの条件の悪いところでもレンズ交換を可能とし、より領域を拡大して撮影ができるようになる。
【図面の簡単な説明】
【０００９】
【図１】  全体図
【図２】  手作業のための手を入れる袖付き窓
【図３】  同様（両手用のため２カ所左右に設置）
【図４】  電動ファンの取り付け
【図５】  フィルター、大きめのものを設ける
【図６】  上蓋、カメラなどの出し入れ用蓋付きの出し入れ口
【手続補正３】
【補正対象書類名】図面
【補正対象項目名】全図
【補正方法】変更
【補正の内容】
【図１】
2011123459.tif 000004
【図２】
2011123459.tif 000005
【図３】
2011123459.tif 000006
【図４】
2011123459.tif 000007
【図５】
2011123459.tif 000008
【図６】
2011123459.tif 000009
(57)【要約】【課題】犬の散歩中における排泄物の処理において、火箸等の道具を使って糞を拾い取るが雨降りの時は糞が水分で型崩れして全て拾い取る事が困難である。【解決手段】ヘアーバンド状の止め具２上側湾曲部に前後と上下にスライドする硬質細鉄線で成る糞袋支持具４を締め付けて設け、該糞袋支持具４に保持させた糞袋３の開口部６を肛門部に宛がって袋内に糞を取り排便後犬が立ち上がると同時に糞の重みで輪ゴム９が外れ糞袋３が抜け落ちるのでそれを回収する。【選択図】図１
2011024505.tif 000002
【特許請求の範囲】
【請求項１】
ヘアーバンド状の止め具２上側湾曲部に前後上下にスライドして硬質細鉄線７で成る糞袋支持具４を設け、該糞袋支持具４に保持させた糞袋３の開口部６を肛門部に宛がい糞を該袋内に受け止める糞取具
【発明の詳細な説明】
【技術分野】
【０００１】
犬の糞取具に関する
【背景技術】
【０００２】
これまで犬の散歩中の排泄物処理は火箸様なもので摘み拾いするなどして処理していた。
【先行技術文献】
【特許文献】
【０００３】
【特許文献１】特許公開２００６−１０１８２１号公報。
【特許文献２】特許公開２００２−２７２３０２号公報。
【特許文献３】特許公開平０９−０４７１７８号公報。
【発明の概要】
【発明が解決しようとする課題】
【０００４】
しかしながら雨の日などは水分で糞の形が崩れ易く従って拾い難くなり雨降り時の始末には苦慮していた。
【課題を解決するための手段】
【０００５】
臀部上に挿し留めるヘアーバンド状の止め具２上側湾曲部に押さえ止め具8を設け弾力性の強い硬質の細鉄線７で構成した糞袋支持具４の一端を挟んで支持し前後と上下に動く該糞袋支持具４を設け、該支持具４に保持させた該糞袋３の開口部６を肛門部に宛がいそのまま袋内に糞を受け止めて糞袋３内に収め排便後犬が腰を上げると同時に該糞袋３が糞の重みで外れそれを拾い上げて簡単に処理するので衛生的である。
【発明の効果】
【０００６】
本発明の犬の糞取具１は犬の肛門に糞袋３の開口部６を直接宛がい糞を受け止めた後糞袋３が自然的に外れるので至極衛生的であり道路などの地面を汚す事もない。
【０００７】
図１は糞袋３の開口部６が肛門に宛がえるように前後と上下に簡単に移動調整できて糞が確実に該糞袋３に入るようにした正面斜視図である。
【０００８】
図２は糞袋支持具４が糞袋３を支持した状態を示す側面図であり左右上下に簡単に移動調整できて糞が確実に糞袋３に入るようにした図である。
【図面の簡単な説明】
【０００９】
【図１】本発明の実施形態を示す斜視図
【図２】同、側面図
【発明を実施するための形態】
【００１０】
ヘアーバンド状留め具２の上側面に上下左右に動いて柔軟に固定できる糞袋支持具４に糞袋３を着脱自在に取り付ける。
開口部６を糞袋支持具４に輪ゴムで取り付けする。
【産業上の利用可能性】
【００１１】
図１は本発明の実施例を示す図で、犬の排便に気を配る必要も無く自然に任せて排便させることができる。
糞袋３は一般的な小型ビニール袋を使う。
【符号の説明】
【００１２】
１  糞取具  
２  ヘアーバンド状の止め具
３  糞袋
４  糞袋支持具
５  スライド部
６  開口部
７  硬質細鉄線
8  押え止め具
９  輪ゴム
【図１】
2011024505.tif 000003
【図２】
2011024505.tif 000004
(57)【要約】【課題】  従来、蜜蜂巣箱から採蜜した蜂蜜の糖度が発酵阻止点である糖度７９度に達しないと常温では発酵するので、熱を掛けて、発酵菌である酵母菌を殺したり、糖類を加えたり、沸騰によって水分を蒸発させ、糖度を上げたりしていた。しかしそれでは、蜂蜜に含まれる酵素やビタミン類を破壊し、風味を落とし、極端な場合、蜂蜜をガラス化させ、蜂蜜を劣化させる恐れがあった。  それを避けるためには、蜂蜜に熱を加えないで水分を抜く方法が求められる。真空装置によって水分を抜く方法はあるが、その装置は零細な養蜂家が入手するには高価すぎる。【解決手段】  安価に蜂蜜から水分を抜く方法として、本発明は、市販の除湿剤を使用しようとするものである。除湿剤として一般的なものはシリカゲルと生石灰である。  大型の気密室あるいは小型の気密箱に、除湿剤と共に、底の浅い容器に蜂蜜を入れて重ね、気密室（箱）に閉じ込める。【選択図】図１
2011024552.tif 000002
【特許請求の範囲】
【請求項１】
内部の温度を一定に保つために壁が断熱性を持ち、微小な発熱体と扇風装置を内蔵し、除湿剤と共に蜂蜜を閉じ込める気密室で、側面に扉を持つ蜂蜜用濃縮装置。
【請求項２】
内部の温度を一定に保つために壁が断熱性を持ち、微小な発熱体と扇風装置を内蔵し、除湿剤と共に蜂蜜を閉じ込める気密箱で、上面に蓋を持つ蜂蜜用濃縮装置。
【発明の詳細な説明】
【技術分野】
【０００１】  本発明は蜂蜜に含まれる水分を抜いて蜂蜜の糖度を上げる装置に関わる。
【背景技術】
【０００２】  従来、蜜蜂巣箱から採取した蜂蜜の糖度が、常温での発酵限界点である糖度７９度に達していない場合、保存は、発酵を抑えるために冷蔵庫で行う以外になかった。【０００３】  常温での保存ができなければ商品としての価値が下がるので、常温での保存ができるように、低温の熱（６０度が基準）を加えて発酵菌である酵母菌を殺したり、糖類を加えて糖度を上げたりしてきた。さらに蜜を沸騰させて水分を蒸発させる方法すら採られてきた。
【発明の表示】
【発明が解決しようとする課題】
【０００４】  しかしそれでは、蜂蜜に含まれる酵素やビタミン類を破壊したり、風味を落としたり、混ざり物の蜂蜜にしたりする結果になった。
【０００５】  それを避けるためには、蜂蜜に熱を掛けたり、糖類を加えたりしないで糖度を上げる方法が求められる。
【０００６】  大規模加工工場では真空装置によって蜂蜜から水分を抜く方法が用いられているが、その装置は零細な養蜂家が入手するには高価すぎる。
【課題を解決するための手段】
【０００７】  安価に蜂蜜から水分を抜く方法として、本発明は、安価に市販されている除湿剤を使用しようとするものである。
【０００８】  除湿剤として最も一般的なものはシリカゲルと生石灰である。どちらも入手は容易である。
【０００９】  気密室あるいは気密箱を作り、その中に、除湿剤と共に、表面積が大きく水分の抜けやすい底の浅い容器に蜂蜜を入れ、その容器を幾段にも重ねて、気密室に閉じ込める。
【００１０】  夜の気温低下、あるいは季節による気温低下による気密室内部の温度低下によって濃縮効率が落ちるので、温度の一定化を図るための少量の加熱と空気循環装置が必要になる。
【００１１】  除湿剤が気密室内の水分を吸収すると、室内は気圧が下がり、真空状態に近づく。すると蜂蜜に含まれる水分の蒸発を促し、さらなる蜂蜜の濃縮が促進される。
【００１２】  実験の結果、内部の理想的な温度は３８℃で、蜂蜜と除湿剤の割合を重量比で５対１にすると、採蜜当初の糖度７６度の蜂蜜が４日で８３度に濃縮される。
【００１３】  容器に入った蜂蜜の水分は、表層から水分は抜かれていくので、表層から濃縮は進むが、濃縮が進むほど比重は大きくなるので、下層へと沈下し、比重の小さい下層は表層に上がってくる。そのために上層と下層は常に入れ替わっており、濃縮作用は効率的に行われる。
【００１４】  図１は、本発明、請求項１の正面図である。内部の説明のために扉は外してある。（１）は気密室の壁で断熱効果を高めるために２重になっている。（２）は蜂蜜容器を乗せる棚である。（３）は蜂蜜容器。（４）は除湿剤用容器。（５）は小型発熱体つき扇風機。（６）はその外部調節機。（７）は温度計モニター。
【００１５】  請求項１は大型の濃縮装置で、そのために扉が側面についている。
【００１６】  図２は本発明の扉の側面図である。（８）は気密を確保するための弾力性のあるパッキンである。（９）は本発明の気密室に扉を密着させて取り付けるときに用いるゴム紐あるいはコイルバネをひっかける突起である。
【００１７】  図３は、請求項２の斜視図である。本発明の小型で、蜂蜜容器と除湿剤を上から出し入れする。上に蓋を乗せるので気密も容易になる。
【発明の効果】
【００１８】  蜂蜜を劣化させることなく濃縮できるので、純粋の生蜜を常温で保存できる。
【発明を実施するための最良の形態】
【００１９】  本発明を図１と図３の形態のまま、ベニア板で安価に製造できる。
【図面の簡単な説明】
【図１】  本発明請求項１の正面図
【図２】  図１の扉の側面図。
【図３】  本発明請求項２の斜視図。蓋を上面に被せる設計である。
【図４】  図３の蓋の側面図。
【符号の説明】  １    気密室の断熱壁
２    棚
３    蜂蜜容器
４    除湿剤容器
５    発熱体つき扇風機
６    外部温度調節機
７    温度計のモニター
８    気密用パッキン
９    気密室に扉を取り付ける時の引っかけ用突起
【図１】
2011024552.tif 000003
【図２】
2011024552.tif 000004
【図３】
2011024552.tif 000005
【図４】
2011024552.tif 000006
(57)【要約】【課題】    従来メンマと言えば細く長い短冊状の形状が一般的であり、自由な形状のメンマは一切なかった。そこで短冊状以外の様々な形状のメンマを提供する事によって、ラーメン以外の転用及び消費者の拡大を意図する。【解決手段】  従来の短冊スライサーでの裁断から、自由な希望する形状にカットできるハンドもしくはロボットプレス裁断機により裁断する。又、全く裁断せずに原形のまま味付けをして製品化とする。【選択図】図６
2011024549.tif 000002
【特許請求の範囲】
【請求項１】
メンマの製造過程に於いて筍の節を除いた筒部分の１か所を切断し、開いた筍を更に細かく裁断した短冊状以外の形状を有するメンマ。
【請求項２】
ハンドプレス裁断機又は、ロボットによるプレス裁断機を使い、型を抜く事により製造された請求項１記載のメンマ。
【請求項３】
筍の筒部分を１ヶ所切断し、開いた筍をそのままの形状で味付けをしたメンマ。
【請求項４】
メンマの製造過程に於いて穂先部分を短冊状に裁断せず、開いた状態のまま味付けをしたメンマ。
【発明の詳細な説明】
【技術分野】
【０００１】  本発明は、一般的に利用されているメンマの通常形状である短冊状以外の様々な形状のメンマに関する。
【背景技術】
【０００２】  従来のメンマは製造方法において、原料である筍の繊維に沿って専用スライサーで裁断する為、厚みは大小異なるも全てが細く長い小さな短冊状のみがメンマの形状とされていた。【０００３】  以下、図１から図３までに付いて従来のメンマ製造について説明する。図１において筍の形状と、切除される節の部分１、メンマに使用される筒の部分２と穂先の部分９を表した図である。【０００４】  図２は切除後の筒の部分の１か所を切断する図で、図３は図２の筒状を開き細かく切断する前のメンマの原型を拡大し、細かく裁断する場合の方向を示したものである。【０００５】  メンマの形状は図３の様に元々原料である筍の繊維に沿って切り分けられている。従って厚みは様々だが、ひとつの欠点は全てが長方形の形状であり長方形以外の自由な形状が無く単一である。また、従来のメンマの常識は前述のように常に長方形で食べ易く切り分けられる事が普通とされ、自由な形の概念追求は全くといって無く、海外及び日本国内でも見受けられない。
【発明の概要】
【発明が解決しようとする課題】
【０００６】  以上に述べた従来の製法では、筍を筒から広げた状態でそのままスライサーにて裁断する為、ひとつの形状（細く長い短冊）だけである。これが一般的なメンマの製法として、台湾はもとより中国のメンマ原産地でも同一の形状として流通している。【０００７】  本発明は、従来の形状表現の単一問題を解決しようとするものであり、自由な発想に基づいた形状を実現する事を目的とする。又、その形状を細く長い短冊状以外の形状にする事により、形状表現の自由なメンマの創作を追求したものである。
【課題を解決するための手段】
【０００８】  そこで本発明は上記目的を達成する為にハンドプレス裁断機図４の先端４に特殊形状刃７を取付ける。７の特殊形状刃を希望する形状に交換する事により、短冊状以外の様々な形状のメンマを製作するものである。【０００９】  ハンドプレス機以外のロボットによるプレス裁断にて、同様の形状を製作しても良い。【００１０】  筍の筒部分を１ヶ所切断し、開いた筍をそのままの形状で味付けをしたメンマ。スライサーやプレス機を使用せずに、その原形のまま味を付け流通させる事により、メンマの利用者が自由に形状を利用する事も出来る。【００１１】  また筍の穂先部分を、メンマの製造過程に於いて穂先部分を短冊状に裁断せず、開いた状態のまま味付けをしたメンマにすると、穂先の柔らかい部分をより楽しむ事が出来る。
【発明の効果】
【００１２】  上述したように本発明のメンマは、自由な発想の形状実現により、従来の味気ない一方向形状メンマを、小児老若男女が様々な形状で夢を味わう事が出来、又、このメンマの開発により、繊維質の豊富なこの食材をより多くの人に食して貰う為の、楽しさと遊び心を一緒に味わう事が出来るメンマを提供する。【００１３】  又、原形のままの味付けメンマは、同様の考えから利用者が自由な発想で好みのままの形状に創作する夢を与えるものである。
【図面の簡単な説明】
【００１４】
【図１】メンマの原料を取る筍の概略図
【図２】筍の筒の部分を切断展開した図
【図３】展開した筍部分を筋状矢印に沿って切断した図
【図４】本発明の形状を製造するプレス裁断機の全体像
【図５】同裁断機に装着する特殊形状刃及び取付配置図と当て板
【図６】図５の特殊形状刃により裁断した斜視図
【発明を実施するための形態】
【００１５】    以下本発明の実施形態を図１〜図６に基づいて説明する。
【実施例】
【００１６】  図４に示したプレス裁断機の先端４に、図５に示した特殊形状刃７を取付けて、展開した筍の筒状部分を打ち抜き、図６に示す様な星型のメンマが得られた。【００１７】  図２は図１の筒状の筍を裁断する部位と、その裁断した部位を開いた図で、図３は開いた筍を繊維状矢印に沿って裁断した様子を表した図である。【００１８】  従来の短冊状と異なり、従来の用途以外への利用、例えばチャーハンの具材、お酒のおつまみ、スナック食材、和食への転用、お菓子等にも利用する事で、幅広く色々な人達が楽しんで食べる事が出来る。
【符号の説明】
【００１９】１筍の節
２筍の筒
３メンマの拡大図
４特殊形状刃取付部
５台座
６特殊形状刃取付プレート
７型抜き特殊形状刃
８当て板
９筍の穂先
【図１】
2011024549.tif 000003
【図２】
2011024549.tif 000004
【図３】
2011024549.tif 000005
【図４】
2011024549.tif 000006
【図５】
2011024549.tif 000007
【図６】
2011024549.tif 000008
(57)【要約】【課題】  都市部などに発生するゲリラ豪雨を有効に軽減解消することのできるゲリラ豪雨軽減方法を提供すること。【解決手段】  夏季日射に伴う熱気の上昇によるヒートアイランド現象の発生する地域に対し局地風である温暖・湿潤な海風が流れ込む前の段階で上昇流起生装置により海風を上昇させて小規模な降雨を発生させるようにする。【選択図】図２
2011024565.tif 000002
【特許請求の範囲】
【請求項１】
夏季日射に伴う熱気の上昇によるヒートアイランド現象の発生する地域に対し局地風である温暖・湿潤な海風が流れ込む前の段階で上昇流起生装置により海風を上昇させて小規模な降雨を発生させるようにするゲリラ豪雨軽減方法。
【請求項２】
請求項２に記載の発明は、請求項１に記載の方法において、電波・音波・レーザーなどの水分子の結合手段で水分子の結合作用を印加するゲリラ豪雨軽減方法。
【発明の詳細な説明】
【技術分野】
【０００１】  本発明は、ゲリラ豪雨軽減方法に関する。
【背景技術】
【０００２】  図１はゲリラ豪雨の発生現象の説明図であり、都市部では夏季日射に伴う熱気の上昇Ｘによりヒートアイランド現象が発生し、そこに局地風である温暖・湿潤な海風Ｙが流れ込むと入道雲（積乱雲）２００が発生して上空の冷たく乾燥した空気と交じり合うと不安定な大気状態となる。その不安定さを解消するため、急激に入道雲が発達する結果、ゲリラ豪雨２０１…が発生する。
そうした軽減策を講じたものはこれまでに公開されていない。
【先行技術文献】
【特許文献】
【０００３】
【特許文献１】
【発明の概要】
【発明が解決しようとする課題】
【０００４】  本発明は、このような従来抱えていた問題を解決しようとするものであり、都市部などに発生するゲリラ豪雨を有効に軽減解消することのできるゲリラ豪雨軽減方法を提供することを目的とする。
【課題を解決するための手段】
【０００６】  本発明は上記目的を達成するため、請求項１に記載の発明は、夏季日射に伴う熱気の上昇によるヒートアイランド現象の発生する地域に対し局地風である温暖・湿潤な海風が流れ込む前の段階で上昇流起生装置により海風を上昇させて小規模な降雨を発生させるようにする。
請求項２に記載の発明は、請求項１に記載の方法において、電波・音波・レーザーなどの水分子の結合手段で水分子の結合作用を印加する。
【発明の効果】
【０００７】  上述したように本発明のゲリラ豪雨軽減方法は、夏季日射に伴う熱気の上昇によるヒートアイランド現象の発生する地域に対し局地風である温暖・湿潤な海風が流れ込む前の段階で上昇流起生装置により海風を上昇させて小規模な降雨を発生させるようにする。これにより、都市部などに発生するゲリラ豪雨を有効に軽減解消することができる。
【図面の簡単な説明】
【０００８】
【図１】ゲリラ豪雨の状況を示す斜視説明図。
【図２】ゲリラ豪雨の一軽減対策例を示す斜視説明図。
【図３】他の提案例を示す斜視説明図。
【発明を実施するための形態】
【０００９】  以下、本発明の実施の一形態を図１〜図３に基づいて説明する。
【００１０】  図２は、こうした入道雲がＢのように発達する前の小規模な段階Ａにおいて人工的にゲリラ豪雨の軽減を図る方法を示す。都市部においては熱気の上昇Ｘが生じ、自然発生的に入道雲Ａが発生している。その段階でゲリラ豪雨の発生を予測し、海風Ｙによる本格的な入道雲Ｂの発生前に、温暖湿潤な海風Ｙを、都市部より海側地域に設置したスパイラル上昇方式の上昇流起生装置２０３…により吸引して凝結核混合装置２０４による凝結核の混合を伴って都市部手前において矢印Ｚのように急上昇させる。この上昇流Ｚは人工的な入道雲２０５を小規模なものとして発生させ、その結果、ゲリラ豪雨までもいかない小規模な降雨を発生させることができる。
【００１１】  そのことから、本来発達途上にあった入道雲ＡはＢのように急速に発達することなく減衰し、その結果、ゲリラ豪雨は規模の小さいものあるいは消失してしますことになり、大洪水のおそれがなくなる。
また一方、人工的な降雨によりビルや車道・歩道などの大地、屋根などが冷やされる結果、ヒートアイランド現象は弱まり、ゲリラ豪雨への発達減衰に寄与する。大気は清浄化されるとともにビルなどの建築物は水洗いされる。
【００１２】  尚、図３に示すように、離れた位置にあるビル２０７…の屋上に電波や音波などの発生装置２０８を設けて人工入道雲２０５の中に振動を与えて水分子を結合しやすくすることにより降雨を発生しやすくしてもよい。
また、レーザー発生装置２０９により入道雲２０５内にレーザーを照射して凝結核の作用下でさらなる水分子の結合を促進させるようにしてもよい。
【符号の説明】
【００１３】  Ａ，Ｂ、２０５…入道雲（積乱雲）  ２０１…ゲリラ豪雨  ２０３…上昇流起生装置  ２０４…凝結核混合装置  ２０７…ビル  ２０８…電波や音波などの発生装置  ２０９…レーザー発生装置  Ｘ…熱気の上昇  Ｙ…海風。
【図１】
2011024565.tif 000003
【図２】
2011024565.tif 000004
【図３】
2011024565.tif 000005
(57)【要約】【課題】  宗派に関係なく、大量に使用される塔婆は、役目を果たし終えた後たくさんの木材が処分される。  これについて、今まで大量の木材の処分が当然のように行われていた。【解決手段】  本体を取り付けた枠に文字板を差し込んで、役目を終えた後、間伐材を使用している文字板だけを抜き取り処分することにより、本体は繰り返し何度も使用することが出来る。【選択図】図１
2011024984.tif 000002
【特許請求の範囲】
【請求項１】
従来の塔婆の形にＬ字型のレールになる枠を設け、間伐材で作られた文字板を差し込み、役割の終えた文字板だけを抜き取り処分するという次世代の塔婆である。
【発明の詳細な説明】
【技術分野】
【０００１】  本発明は、寺や墓地で使用されている塔婆の改良に関するものである。
【背景技術】
【０００２】  従来、使用されている塔婆は１回限りでそのまま放置され処分されていた。
特に、行事があるときの数には計り知れないものがありその処分が問題となっていた。
【発明の開示】
【発明が解決しようとする課題】
【０００３】  日本には数多くの寺院があり、塔婆は宗派の関係なく必ず使われている。
森林保護という問題もあり、処分する文字板に間伐材を使用するという事で多々ある難問を解決しようとするものである。
【課題を解決するための手段】
【０００４】  従来の塔婆の形にＬ字型のレールになる枠を設け、間伐材で作られた文字板を差し込み、役割の終えた文字板だけを抜き取り処分するという次世代の塔婆である。
【発明の効果】
【０００５】  今までは、一度使っては処分していたが、使用されたのは文字板だけであるので、その部分だけを処分し、あとの枠は何度でも使うことが出来る。
【発明を実施するための最良の形態】
【０００６】以下、本発明の実施の形態を説明する。
（イ）塔婆の本体（１）の両端、底を囲むＬ字型枠（２）を設ける。
（ロ）枠を本体に取り付ける為の、木材に馴染む竹製の釘（３）を使用する。
（ハ）本体（１）にＬ字型枠（２）を取り付けたものに間伐材使用の文字板を差し込む。
本発明は以上のような構造である。
本発明を使用するときには、本体（１）に取り付けてあるＬ字型枠（２）に文字板（４）を差し込み、塔婆として使用する。使用後、文字板を抜き取りその部分だけを処分する。
【図面の簡単な説明】
【０００７】
【図１】本発明の全体図
【図２】本発明の側面とＬ字型枠の構造
【符号の説明】
【０００８】（１）本体
（２）Ｌ字型枠
（３）竹製釘
（４）文字板
【図１】
2011024984.tif 000003
【図２】
2011024984.tif 000004
(57)【要約】【課題】  サンドイッチを簡単に形成することができると共に、その形成したサンドイッチを型くずれさせることなく安定した状態で持ち運ぶことができるサンドイッチケースを提供する。【解決手段】  開口を有する本体内側ケースの四側面に、対向的なタテ細長の切れ込み部を複数箇所に設け、蓋内側に保冷剤収納部を設け、開口を有する本体と該本体の開口を塞ぐ蓋とからなる構造で、開口を有する本体は、外側ケースと内側ケースの二重構造にしたことを特徴としたサンドイッチケース。【選択図】図１
2011024986.tif 000002
【特許請求の範囲】
【請求項１】
開口を有する本体内側ケースの四側面に、対向的なタテ細長の切れ込み部を複数箇所に設け、蓋内側に保冷剤収納部を設け、開口を有する本体と該本体の開口を塞ぐ蓋とからなる構造で、開口を有する本体は、外側ケースと内側ケースの二重構造にしたことを特徴とするサンドイッチケース。
【発明の詳細な説明】
【技術分野】
【０００１】  本発明は、サンドイッチを簡単に形成することができると共に、その形成したサンドイッチを型くずれさせることなく安定した状態で持ち運ぶことができるサンドイッチケースに関するものである。
【技術背景】
【０００２】  従来、形成して包装したサンドイッチを収納し、持ち運ぶサンドイッチケースがある。
また、サンドイッチ用折り畳み式容器があった。（特許文献１参照）
サンドイッチを切る際に具がはみ出さないように、包み込んで十字に切る容器があった。（特許文献２参照）
【先行技術文献】
【０００３】
【特許文献１】  特開平１０−２６４９２９号公報
【特許文献２】  特開２００１−０４８２６７号公報
【発明の開示】
【発明が解決しようとする課題】
【０００３】  そのために、次のような問題点があった。
（イ）サンドイッチを形成、切る、包装する、ケースに詰める、という工程が多く、手間と時間がかかった。
（ロ）折り畳み式容器は、形成したサンドイッチを収納するケースのため、サンドイッチ形成にかかる手間と時間は、従来と変わらない。
また、メッシュ構造のため、形成したサンドイッチを包装しなければ乾燥してしまい、気温の高いときは、腐敗防止のために保冷剤をケースの上に乗せ、固定するためにハンカチ等で包んだり、テープで止めたりしなければならなかった。
（ハ）サンドイッチを十字に切る容器は、サンドイッチを形成する際に利用するものであり、持ち運ぶことはできない。
また、包丁を入れる切れ目が十字のみであるため、三角形、または３等分に形成することができない。
本発明は、これらの問題点を解決するためになされたものである。
【課題を解決するための手段】
【０００４】  開口を有する本体内側ケースの四側面に、対向的なタテ細長の切れ込み部を複数箇所に設ける。
蓋内側に保冷剤収納部を設ける。
開口を有する本体と該本体の開口を塞ぐ蓋とからなる構造である。
開口を有する本体は、外側ケースと内側ケースの二重構造にする。
以上を特徴とするサンドイッチケースである。
【発明の効果】
【０００５】（イ）このサンドイッチケースの中に直接パンや具を重ね入れ、そのまま切ってサンドイッチを形成することができる。
手間と時間がかからず、きわめて簡単である。
（ロ）サンドイッチ形成後は、ケースに蓋をして、そのまま型くずれさせずに安定した状態で持ち運ぶことができるため、とても便利である。
（ハ）簡単に保冷剤を収納することができて便利である。
【図面の簡単な説明】
【０００６】
【図１】  本発明の斜視図である。
【図２】  本発明の本体内側ケースの斜視図である。
【図３】  本発明の本体外側ケースの斜視図である。
【図４】  本発明の蓋の斜視図である。
【発明を実施するための形態】
【０００７】  以下、本発明の実施の形態について説明する。
本体内側ケース（１）に、１辺の１／３の箇所、１／２の箇所、四隅に切れ込み部（６ａ、６ｂ）、切れ込み部（７ａ、７ｂ）、切れ込み部（８ａ、８ｂ）、切れ込み部（９ａ、９ｂ）、切れ込み部（１０ａ、１０ｂ）、切れ込み部（１１ａ、１１ｂ）、切れ込み部（１２ａ、１２ｂ）、切れ込み部（１３ａ、１３ｂ）を設ける。
蓋内側に、保冷剤収納部（３）を設ける。
本体は、本体外側ケース（２）と本体内側ケース（１）からなる二重構造にする。
本体内側ケースの底部（４）は立ち上がり（５）を有し、メッシュ構造とする。
本発明は、以上のような構成である。
本発明を使用するときは、本体内側ケース（１）に直接パンと具を重ね入れ、形成したい形に合わせて、対向的な切れ込み部を利用して包丁で切る。
例えば、三角形に二等分したいときは、切れ込み部（６ａと６ｂ）、又は、切れ込み部（７ａと７ｂ）を利用する。
長方形に二等分したいときは、切れ込み部（８ａと８ｂ）、又は、切れ込み部（９ａ、９ｂ）を利用する。
長方形に三等分したいときは、切れ込み部（１０ａと１０ｂ）、切れ込み部（１１ａと１１ｂ）を利用する。
又は、切れ込み部（１２ａと１２ｂ）、切れ込み部（１３ａと１３ｂ）を利用する。
サンドイッチを形成し終えたら、本体内側ケース（１）を本体外側ケース（２）内に入れて蓋をする。
型くずれさせずに安定した状態で持ち運ぶことができる。
蓋内側の保冷剤収納部（３）に必要に応じて保冷剤を収納する。
また、このサンドイッチケースは、サンドイッチ用として使用しないときは、他の食品保存容器として利用することができる。
その際、本体内側ケースの底部（４）は、メッシュ構造となっているため水切りとして利用することも可能である。
なお、蓋内側の保冷剤収納部（３）の他の利用方法として、保冷剤以外にナイフ、フォーク、おしぼり等を収納することも可能である。
【符号の説明】
【０００８】１  本体内側ケース
２  本体外側ケース
３  保冷剤収納部
４  底部
５  立ち上がり
６ａ、６ｂ  切れ込み部
７ａ、７ｂ  切れ込み部
８ａ、８ｂ  切れ込み部
９ａ、９ｂ  切れ込み部
１０ａ、１０ｂ  切れ込み部
１１ａ、１１ｂ  切れ込み部
１２ａ、１２ｂ  切れ込み部
１３ａ、１３ｂ  切れ込み部
【図１】
2011024986.tif 000003
【図２】
2011024986.tif 000004
【図３】
2011024986.tif 000005
【図４】
2011024986.tif 000006